(57)【要約】【課題】データの記録ミスがあっても、次に同一タイトルのディスクがローディングされたときに録音処理をやり直すことができるデータ記録再生装置を提供する。【解決手段】ディスク装置によって読み取ったディスクのデータを記録媒体に記録する記録部と、ディスク又は記録媒体に記録したデータを再生する再生部を有し、記録部は、記録媒体にディスクのデータを記録する際に、ディスクのトラックデータとＴＯＣデータを読み出して記録するとともに、正常に記録されなかったトラックデータがある場合にそのトラック番号の情報を記録する第１の制御部と、新たにディスクをローディングして記録処理を行う際に、同一タイトルのディスクがローディングされたときは記録されたトラック番号の情報をもとに同一トラックのデータを修正記録する第２の制御部と、を具備する。【選択図】図１
2010134980.tif 000002
【特許請求の範囲】
【請求項１】
ディスク装置によって読み取ったディスクのデータを記録媒体に記録する記録部と、前記ディスク又は前記記録媒体に記録したデータを再生する再生部を有するデータ記録再生装置であって、
前記記録部は、前記記録媒体に前記ディスクのデータを記録する際に、前記ディスクのトラックのデータとＴＯＣ（Table of Contents）データを読み出して記録するとともに、正常に記録されなかったトラックのデータがある場合に当該トラック番号の情報を記録する第１の制御部と、
前記ディスク装置に新たにディスクをローディングして記録処理を行う際に、同一タイトルのディスクがローディングされたときは前記記録されたトラック番号の情報をもとに同一トラックのデータを修正記録する第２の制御部と、を具備したことを特徴とするデータ記録再生装置。
【請求項２】
前記第１の制御部は、前記ＴＯＣデータと前記記録媒体に記録されたトラックのデータを照合して、前記トラックのデータが正常に記録されたか否かを判断することを特徴とする請求項１記載のデータ記録再生装置。
【請求項３】
前記第２の制御部は、前記記録されたトラック番号の情報をもとに同一トラックのデータを読み出して記録し、以前に記録したトラックのデータと置き換えることを特徴とする請求項１記載のデータ記録再生装置。
【請求項４】
前記第２の制御部は、前記第１の制御部によって記録されたトラック番号の情報をもとに、該当するトラック及び次のトラックのデータを読み出して修正記録することを特徴とする請求項１又は３記載のデータ記録再生装置。
【請求項５】
前記第２の制御部は、前記修正記録したトラックのデータが正常なデータであると判断したときは、前記記録されたトラック番号の情報を削除することを特徴とする請求項１記載のデータ記録再生装置。
【請求項６】
前記記録部は、前記記録媒体としてのハードディスクと、前記ハードディスクへのデータの書き込み及び読み出しを制御するハードディスクコントローラを含むことを特徴とする請求項１記載のデータ記録再生装置。
【請求項７】
ディスク装置によって読み取ったディスクのデータを記録媒体に記録する記録部を有し、
前記記録媒体に前記ディスクのデータを記録する際に、前記ディスクのトラックのデータとＴＯＣ（Table of Contents）データを読み出して記録するとともに、正常に記録されなかったトラックのデータがある場合に当該トラック番号の情報を記録し、
前記ディスク装置に新たにディスクをローディングして記録処理を行う際に、同一タイトルのディスクがローディングされたときは前記記録されたトラック番号の情報をもとに同一トラックのデータを修正記録し、
前記記録媒体から更新されたトラックデータを読み出して再生することを特徴とする記録再生方法。
【請求項８】
前記トラックのデータが正常に記録されたか否かは、前記ＴＯＣデータと前記記録媒体に記録されたトラックのデータを照合して判断することを特徴とする請求項７記載の記録再生方法。
【請求項９】
前記データの修正記録は、新たにディスクをローディングしたときに前記記録されたトラック番号の情報をもとに同一トラックのデータを読み出して記録し、以前に記録したトラックのデータと置き換えることを特徴とする請求項７記載の記録再生方法。
【請求項１０】
前記データの修正記録は、前記記録されたトラック番号の情報をもとに、該当するトラック及び次のトラックのデータを修正記録することを特徴とする請求項７又は９記載の記録再生方法。
【請求項１１】
前記修正記録したトラックのデータが正しく記録されたときに、前記記録されたトラック番号の情報を削除することを特徴とする請求項７記載の記録再生方法。
【請求項１２】
前記記録部は、前記記録媒体としてのハードディスク、及び前記ハードディスクへのデータの書き込み及び読み出しを制御するハードディスクコントローラを含むことを特徴とする請求項７記載の記録再生方法。
【発明の詳細な説明】
【技術分野】
【０００１】
本発明は、ＣＤ（Compact Disk）等のディスクに記録された音楽データをＨＤＤ等の大容量の記録媒体に記録し、かつ再生可能にしたデータ記録再生装置及び記録再生方法に関する。
【背景技術】
【０００２】
従来、車載用のディスク再生装置では、オーディオデータが書き込まれたＣＤ（Compact Disk）やＭＤ（Mini Disk）等のディスクを車内に持ち込み、車両に搭載されたディスク装置でオーディオデータを再生していた。また複数枚のディスクを再生するため、例えばＣＤチェンジャのようなディスク装置を用いて再生するようにしている。しかしながら、ＣＤチェンジャを用いたとしても、予め決められた枚数のディスクしか再生することができず、他のディスクを再生するには、ディスクを入れ換える必要があった。
【０００３】
そこで、大容量の記録媒体、例えばハードディスク装置（ＨＤＤ）を車載機器に搭載し、ディスクから読み込んだデータをハードディスク装置に記録し、ハードディスク装置に記録したデータを再生可能にしたデータ記録再生装置が普及している。このようなデータ記録再生装置では、ディスク装置とハードディスク装置を含み、ディスク装置にて再生したデータをハードディスク装置に記録し、ハードディスク装置からデータを読み出して再生できるようにしている。
【０００４】
またディスクに記録された音楽データをハードディスク装置に保存する場合、音楽データだけでなくディスク識別情報としてＴＯＣ（Table of Contents）データも合わせて記録し、このＴＯＣデータを参照することで同じディスクのデータが二重に記録されるのを回避するようにしている。したがって、データ記録再生装置は、データを保存する際にＴＯＣデータを検索し、現在再生中のディスクのＴＯＣデータと同一のＴＯＣデータが既にハードディスク装置に記録されている場合はデータの保存を行わないようにしている。
【０００５】
また音楽用ＣＤには、楽曲（楽章）の頭出しや、予め設定された順序で再生するためのプログラム機能に関する情報として、サブコードのＰチャンネル及びＱチャンネルのデータが含まれている。サブコードのＱチャンネルデータ（以下、サブＱデータと呼ぶ）は、コントロール部、アドレス部、データ部、及びＣＲＣ（Cyclic Redundancy Code）部からなり、ＣＲＣ部にはエラー検出のためのデータが記録されている。したがって、このＣＲＣを利用してサブＱフレームの正誤を判定し、正しいデータのみを取得できるようにしている。またディスクの各トラックの切り替わりは、ディスクから取得したサブＱデータから再生中の位置を認知することで検出している。
【０００６】
しかしながら、市場にはコピーディスクが多く存在するため、ディスクに書き込まれたサブＱデータのＣＲＣが異常な値になっていることがある。ＣＲＣ値が異常なサブＱデータは破棄せざるを得ないため、特にトラック間の境界部分のＣＲＣが異常な場合、トラック間の境界を正確に認識することができず、現在再生中のトラックの一部として次のトラックを再生してしまうことがあった。したがって、このようなディスクをトラック毎に録音した場合は、トラックの長さが実際と異なってしまい、音声が中途半端なファイルが作成されてしまうという不具合があった。
【０００７】
特許文献１には、ディスクに記録されたデータを一旦、記憶媒体に記憶し、あとで再生するようにしたディスク再生装置が開示されている。この例では、サブＱ信号のデータ化けにより、音楽データと非音楽データを正しく認識できない場合の対処法について記載されている。
【特許文献１】特開２００１−２１０００８号公報
【発明の開示】
【発明が解決しようとする課題】
【０００８】
従来のデータ記録再生装置では、音楽ディスクからデータを読み取りＨＤＤ等の記憶媒体に保存する場合、トラックの切り替わりをディスクから取得したサブＱデータから再生中の位置を認知することによって検出しているが、コピーされたディスク等では、次トラックへの切り替わりを正規の位置で検出することができず、トラック毎の録音を行う場合に、実際の時間よりも長い、あるいは短い録音ファイルが作成されてしまうという不具合があった。
【０００９】
本発明は、上記事情に鑑み粗悪ディスクを録音した場合でも、次に同一タイトルのディスクがローディングされたときに録音処理を実施し、録音状態の改善を図ることでできるデータ記録再生装置及び記録再生方法を提供することを目的とする。
【課題を解決するための手段】
【００１０】
請求項１記載の本発明のデータ記録再生装置は、ディスク装置によって読み取ったディスクのデータを記録媒体に記録する記録部と、前記ディスク又は前記記録媒体に記録したデータを再生する再生部を有するデータ記録再生装置であって、前記記録部は、前記記録媒体に前記ディスクのデータを記録する際に、前記ディスクのトラックのデータとＴＯＣ（Table of Contents）データを読み出して記録するとともに、正常に記録されなかったトラックのデータがある場合に当該トラック番号の情報を記録する第１の制御部と、前記ディスク装置に新たにディスクをローディングして記録処理を行う際に、同一タイトルのディスクがローディングされたときは前記記録されたトラック番号の情報をもとに同一トラックのデータを修正記録する第２の制御部と、を具備したことを特徴とする。
【００１１】
また請求項7記載の本発明の記録再生方法は、ディスク装置によって読み取ったディスクのデータを記録媒体に記録する記録部を有し、前記記録媒体に前記ディスクのデータを記録する際に、前記ディスクのトラックのデータとＴＯＣ（Table of Contents）データを読み出して記録するとともに、正常に記録されなかったトラックのデータがある場合に当該トラック番号の情報を記録し、前記ディスク装置に新たにディスクをローディングして記録処理を行う際に、同一タイトルのディスクがローディングされたときは前記記録されたトラック番号の情報をもとに同一トラックのデータを修正記録し、前記記録媒体から更新されたトラックデータを読み出して再生することを特徴とする。
【発明の効果】
【００１２】
本発明のデータ記録再生装置では、ディスクに記録されたデータをＨＤＤ等の記録媒体に記録する際に、以前に記録したデータに記録ミスがある場合にそのトラック番号も記録しておくことにより、次に同じタイトルのディスクがローディンクされたときに修正記録して録音状態の改善を図ることができる。
【発明を実施するための最良の形態】
【００１３】
以下、この発明のデータ記録再生装置の一実施形態について図面を参照して説明する。
【実施例１】
【００１４】
図１は、本発明のデータ記録再生装置１００の構成を示すブロック図である。図１において、データ記録再生装置１００は、ディスク装置１０と、ハードディスク装置３０を備えている。データ記録再生装置１００は、マイクロプロセッサを含むシステム制御部１１を有し、システム制御部１１が装置全体の動作を制御する。
【００１５】
先ずディスク装置１０の構成を説明する。ディスクＤは、スピンドルモータ１２によって一定の線速度で回転する。ディスクＤからの情報の読み取りは、光ピックアップ１３によって行い、ディスクＤにレーザ光を照射し、その反射光によってディスクＤに記録されている情報を読み出す。
【００１６】
光ピックアップ１３は、スレッドモータ１４によってディスクＤの半径方向に移動制御され、再生位置を決定する。１５はサーボコントローラであり、システム制御部１１からの制御信号に応じて、スピンドルモータ１２の回転を制御するとともに、光ピックアップ１３のトラッキング制御、フォーカス制御、及びスレッドモータ１４の駆動制御を行う。
【００１７】
１６はＲＦアンプであり、光ピックアップ１３によって読み出した情報に対応するＲＦ信号を増幅して次段に伝達する。又、このＲＦアンプ１６は、ＲＦ信号からフォーカス制御用の信号及びトラッキング制御用の信号を分離して、これらの制御信号をサーボコントローラ１５に送る。
【００１８】
サーボコントローラ１５は、フォーカス制御用の信号に基づいて光ピックアップ１３のアクチュエータ(図示せず)を制御し、光ビームがディスクＤ上に常時ジャストフォーカスとなるように制御する。また、トラッキング制御用の信号に基づいてアクチュエータを制御し、光ピックアップ１３のトラッキング方向の移動を制御する。これにより、データの再生を正確に行うようにしている。
【００１９】
１７は、デジタル信号処理部であり、ＲＦアンプ１６から出力されたＲＦ信号をデジタル化し、デジタル化された信号の復調処理と誤り訂正処理等を行い、メモリコントローラ１８に入力する。メモリコントローラ１８には、ＳＤＲＡＭ等のメモリ１９が接続されており、例えばＭＰ３による圧縮音楽データ等のファイル情報をメモリ１９に読み書き自在に一時記憶する。メモリコントローラ１８は、圧縮データ（ファイル情報）をメモリ１９に高速に書込み、書き込みと並行してメモリ１９から通常速度で連続的に読み出す。
【００２０】
メモリコントローラ１８によりメモリ１９から読み出されたファイル情報は、デコーダ２０に供給され、デコーダ２０では、例えばＭＰ３圧縮音楽データを伸長して非圧縮の通常の音楽データに変換する。デコーダ２０からのデータは出力部２１に供給され、アナログに変換して出力される。アナログ出力は、外部に設けたオーディオアンプ（図示せずに）に供給される。尚、メモリコントローラ１８、デコーダ２０、及び出力部２１は、再生部を構成する。
【００２１】
また、システム制御部１１は、サーボコントローラ１５、デジタル信号処理部１７、メモリコントローラ１８等の制御を行う。システム制御部１１には、操作部２２及び表示部２３が接続されている。操作部２２は、再生キー、リピートキー、スキャンキー、録音キー等の各種の操作キーを備えている。表示部２３は、ＨＤＤ３１（後述）に記録されているオーディオデータに関する情報等（曲名、アーティスト情報など）を表示する。
【００２２】
一方、ハードディスク装置３０は記録部を構成し、大容量の記録媒体であるＨＤＤ３１と、ハードディスクコントローラ３２、及びエンコーダ３３を含む。
【００２３】
エンコーダ３３は、デジタル信号処理部２０から入力したオーディオデータを必要に応じて圧縮処理して出力する。エンコーダ３３からのオーディオデータは、ハードディスクコントローラ３２によってＨＤＤ３１に書き込まれる。ハードディスクコントローラ３２は、システム制御部１１の制御のもとにＨＤＤ３１へのオーディオデータの書き込み及び読み出しを行う。
【００２４】
またシステム制御部１１は、エンコーダ３３に対して圧縮率を設定する。さらにシステム制御部１１は、ハードディスクコントローラ３２を介して読み出したオーディオデータをエンコーダ３３に出力し、エンコーダ３３で圧縮オーディオデータを生成し、デジタル信号処理部１７に供給する。
【００２５】
このように、データ記録再生装置１００は、大容量の記憶媒体（ＨＤＤ３１）等を車載機器に搭載し、ディスク装置１０によってディスクＤから読み込んだデータをＨＤＤ３１に記録したり、ＨＤＤ３１に記録したデータを読み出してディスク装置１０によって再生可能にしている。
【００２６】
図２はディスクＤに記録されたデータのフォーマット構成を示した図である。図中、（ａ）はサブコードにおけるＱデータ（サブＱデータ）の構成を示し、（ｂ）はサブＱデータ内におけるデータ部の構成を示している。
【００２７】
一般にＣＤには、楽曲（又は楽章）の頭出しや、予め設定された順序に従って再生するためのプログラム機能に関する情報としてサブコードのＰチャンネル及びＱチャンネルのデータが含まれている。Ｐチャンネルデータは、音楽と音楽の間を示しており、ラフな頭出しのために使用される情報であり、Ｑチャンネルデータは、より詳細な制御のための情報である。
【００２８】
図２（ａ）に示すように、サブＱデータは、コントロール部、アドレス部、データ部及びＣＲＣ（Cyclic Redundancy Code）部からなる。コントロール部は４ビットのデータであり、オーディオのチャンネル数、エンファシス、デジタルデータなどの識別を行うためのテーブルが記録されている。コントロール部を構成する４ビットのうち１ビット（上位から２ビット目）は、トラックに記録されているデータがオーディオデータであるか否かを示している。
【００２９】
アドレス部は４ビットのデータであり、後述するデータ部内のデータのフォーマットや種類を示す制御信号が記録されている。ＣＲＣ部は１６ビットデータであり、巡回符号のエラー検出を行うためのデータが記録されている。データ部は７２ビットのデータであり、アドレス部の４ビットのデータが「０００１」のときに、ディスクＤのリードイン領域におけるデータ部（ＴＯＣ）は、図２（ｂ）に示すフォーマットを有する。
【００３０】
即ち、図２（ｂ）に示すように、ＴＯＣは、楽曲（又は楽章）番号を示すＭＮＲ部と、情報の種別を示すＰＯＩＮＴ部と、楽曲内の経過時間の「分」成分を示すＭＩＮ部、「秒」成分を示すＳＥＣ部、及びフレーム番号を示すＦＲＡＭＥ部を有する。またＺＥＲＯ部と、ＰＯＩＮＴ部の内容の絶対時間の「分」成分、「秒」成分、及びフレーム番号をそれぞれ示すＰＭＩＮ部、ＰＳＥＣ部、ＰＦＲＡＭＥ部を有し、これらの各部は８ビットのデータからなっている。このうちＭＮＲ部、ＭＩＮ部、ＳＥＣ部、ＦＲＡＭＥ部、ＺＥＲＯ部は、いずれも１６進数表示で「００」に固定され、８ビット全てに「０」が付与されている。
【００３１】
また、ＰＭＩＮ部は、ＰＯＩＮＴ部が１６進数表示で「Ａ０」の場合には、最初の楽曲（又は楽章）番号を示し、ＰＯＩＮＴ部が１６進数表示で「Ａ１」の場合には、最後の楽曲（又は楽章）番号を示す。また、ＰＯＩＮＴ部が１６進数表示で「Ａ２」の場合には、ＰＭＩＮ部、ＰＳＥＣ部及びＰＦＲＡＭＥ部は、それぞれ、リードアウト領域が始まる絶対時間を示す。さらに、ＰＯＩＮＴ部が２ディジットのＢＣＤで表現される場合には、ＰＭＩＮ部、ＰＳＥＣ部及びＰＦＲＡＭＥ部は、それぞれ、当該数値で示される各曲（又は楽章）が始まるアドレスを絶対時間で表したものとなる。
【００３２】
以下、本発明の記録部（ハードディスク装置３０）の動作について説明する。図３（ａ）は、ディスクＤの情報をトラック毎にＨＤＤ３１に記録する際のトラックの切替りの検出方法を示す説明図である。図３（ａ）では、現トラックから次トラックへ切り替ったタイミングをＴ１で示している。実際には光ピックアップ１３で読み取ったデータからサブＱデータを取得し、それをデコードすることで、システム制御部１１のマイクロプロセッサがトラックの切替りを検出している。サブＱデータのＴＯＣには、トラックのどの位置を再生しているかを示す位置情報が含まれているため、再生位置を判別することができる。
【００３３】
一方、コピーディスクのような粗悪なディスクの場合、ディスクに書き込まれたサブＱのＣＲＣが異常な値になっていることがある。図３（ｂ）は、ＣＲＣの値に異常があるディスクの一例を示す。
【００３４】
図３（ｂ）は、トラックの切替り付近のサブＱデータにおいて、ＣＲＣの値が異常な部分を×印で示し、正常な部分を○印で示している。ＣＲＣ値に異常があるサブＱは、破棄せざるを得ないため、トラック間の境界部分のＣＲＣが異常な場合、トラック間の境界を認識することができず、現在再生中のトラックの一部として次のトラックを再生してしまう。
【００３５】
つまり、現トラックと次トラックの実際の切替りのタイミングはＴ１であるが、次のトラックの最初の部分でＣＲＣ値に異常（×印）があると、それらのサブＱは破棄されるため、マイクロプロセッサは、正常なＣＲＣが検出されるまでは現トラックと判断し、時間ｔ１だけずれた位置（タイミングＴ１’）で次のトラックに切り替わったと判断してしまう。
【００３６】
このためＨＤＤ３１には、現トラックのデータがタイミングＴ１’までオーバーランして記録され、タイミングＴ１’以降が次トラックのデータとして記録されてしまう。現トラックを第１のトラック、次トラックを第２のトラックとすると、第１のトラックは実際よりも長くなり、第２のトラックは実際よりも短くなり、ＨＤＤ３１にはトラックの長さが実際と異なる中途半端な音楽ファイルが作成されてしまう。
【００３７】
そこで本発明では、ディスクＤのデータをＨＤＤ３１に記録する際に、ＴＯＣデータと音楽データを記録するとともに、ＣＲＣ値が異常のためにトラックの長さが実際と異なって記録されたときのトラック番号の情報を合わせて記録しておく点に特徴がある。また記録したトラック番号の情報をもとに、同じタイトルのディスクが再度ローディングされたときに、該当するトラックについて録音処理をやり直し、録音状態の改善を図るようにしている。
【００３８】
図４は、本発明でのＨＤＤ３１への記録動作を示すフローチャートである。尚、以下のフローチャートの処理は、システム制御部１１の制御のもとにハードディスクコントローラ３２によって実行される。
【００３９】
図４において、ステップＳ１は、ディスク装置１０にディスクＤがローディングされ、ＨＤＤ３１への記録が開始されるステップを示している。ステップＳ２では、ディスクＤに記録されているＴＯＣデータ及び音楽データを読み出す。ステップＳ３では、ローディングしたディスクＤのＴＯＣデータを検索し、既にＨＤＤ３１に記録済みのデータの中に同じＴＯＣデータがないか確認する。
【００４０】
ステップＳ４において、同一のＴＯＣデータがない場合は、新規のディスクＤであると判断し、次のステップＳ５で全トラックの録音処理を行う。尚、ステップＳ５では、予め指定したトラックのみを録音することもできるが、ここでは全トラックを録音する場合を説明する。
【００４１】
ステップＳ６では、ＴＯＣデータと実際にＨＤＤ３１に記録した音楽データを照合し、トラックの長さが実際と異なって記録されたトラック番号の情報をＨＤＤ３１に記録する。即ち、ＴＯＣデータにはトラック毎の位置情報が含まれているため、ＴＯＣデータから実際のトラック長を知ることができる。これに対し、粗悪なコピーディスクの音楽データを記録した場合は、図３（ｂ）で例示したようなオーバーランによる記録ミス、つまりトラックの長さが実際と異なって記録される場合がある。また記録ミスのあった次のトラックは実際よりも短く記録される。
【００４２】
したがって、正常に記録されなかったトラックデータがある場合は、そのトラック番号の情報をＨＤＤ３１のリストに記録する。また同じディスクＤにおいて、別のトラックで同様の記録ミスがあった場合は、そのトラック番号の情報がリストに追加され、ステップＳ７で録音処理を終了する。
【００４３】
一方、ステップＳ４において同一のＴＯＣデータが発見された場合は、同じタイトルのディスクＤが再度ローディングされたものと判断し、ステップＳ８では、ＨＤＤ３１のトラック番号のリストが空か否かを判断する。トラック番号のリストが空である場合は、以前に録音したデータに記録ミスがなかったことを示すため、既に正常に録音されているものと判断してステップＳ７に進み、録音を終了する。このとき、表示部２３に「既に記録済みです」等のメッセージを表示すると良い。
【００４４】
またステップＳ８において、トラック番号のリストに情報が書き込まれている場合は、ステップＳ９に進み、該当トラックとその次のトラックの音楽データを録音処理する。つまりステップＳ８，Ｓ９では、コピー版ではない正規の同一タイトルのディスクＤがローディングされたときに、以前に録音して記録エラーがあったトラックのデータのみを再度録音し直す訳である。
【００４５】
ステップＳ１０では新たに録音したトラックのデータと以前録音したトラックのデータを置き換え、かつ新たに記録したトラックのデータに記録ミスがなければ、リストから該当するトラック番号の情報を削除する。尚、依然として同一トラックにおいて記録ミスが生じた場合は、そのトラック番号の情報はリストから削除されずに残る。こうして更新されたトラックデータをＨＤＤ３１から読み出して再生することが可能となる。
【００４６】
尚、ハードディスクコントローラ３２は、ＨＤＤ３１にディスクＤのデータを記録する際に、トラックのデータとＴＯＣデータを読み出して記録するとともに、正常に記録されなかったトラックのデータがある場合には当該トラック番号の情報を記録する第１の制御部を構成する。また新たにディスクＤをローディングして記録処理を行う際に、同一タイトルのディスクがローディングされたときは、ＨＤＤ３１に記録されたトラック番号の情報をもとに同一トラックのデータを修正記録する第２の制御部を構成する。
【００４７】
図５は、ステップＳ９，Ｓ１０での修正録音の動作を説明する説明図である。図５において、例えば第１のトラックＡがオーバーランして実際のトラック長よりも長く記録され、後続の第２のトラックＢが実際のトラック長よりも短く記録され、Ａ’、Ｂ’で示すように記録エラーが生じた場合、ＨＤＤ３１のリストには、トラックＡ，Ｂのトラック番号の情報が記録されている。
【００４８】
そして再度、同一タイトルのディスクがローディングされたときは、リストに記録されたトラック番号の情報を基にトラックＡとトラックＢの音楽データを読み出し、Ａ’及びＢ’のデータと置き換えて修正記録する。したがって、エラーのないディスクがローディングされたときには、データが更新されて記録される。また記録エラーのない他のトラックのデータについては、改めて記録し直す必要がないため、修正記録を簡略化することができる。
【００４９】
このように、本発明のデータ記録再生装置では、ディスクＤに記録されたデータをＨＤＤ３１に記録する際に、以前に記録したデータに記録ミスがある場合は、そのトラック番号も記録しておくことにより、次に同じタイトルのディスクがローディンクされたときに修正して記録することができ、録音状態の改善を図ることができる。
【００５０】
尚、以上の説明では、ＨＤＤ３１に音楽データを記録する例について説明したが、ＨＤＤ３１に限らず他の記録媒体、例えばコンパクトフラッシユ（登録商標）等に記録するようにしてもよい。また以上の説明に限定されることなく、特許請求の範囲を逸脱しない範囲内で種々の変形が可能である。
【図面の簡単な説明】
【００５１】
【図１】本発明の一実施形態に係るデータ記録再生装置の構成を示すブロック図。
【図２】ディスク（ＣＤ）に記録されたデータのフォーマット構成を示す説明図。
【図３】本発明の一実施形態でのトラック情報の記録動作を説明する説明図。
【図４】本発明の一実施形態での記録部の動作を説明するフローチャート。
【図５】本発明の一実施形態での修正記録の動作を説明する説明図。
【符号の説明】
【００５２】
Ｄ…ディスク
１０…ディスク装置
１１…システム制御部
１２…スピンドルモータ
１３…光ピックアップ
１４…スレッドモータ
１５…サーボコントローラ
１６…ＲＦアンプ
１７…デジタル信号処理部
１８…メモリコントローラ
１９…メモリ
２０…デコーダ
２１…出力部
２２…操作部
２３…表示部
３０…ハードディスク装置（記録部）
３１…記録媒体（ＨＤＤ）
３２…ハードディスクコントローラ
３３…エンコーダ
１００…データ記録再生装置
【図１】
2010134980.tif 000003
【図２】
2010134980.tif 000004
【図３】
2010134980.tif 000005
【図４】
2010134980.tif 000006
【図５】
2010134980.tif 000007